(57)【要約】【課題】この発明は、帽子形態の変更が容易に行えるとともに、軽量化、及び製造コストの低減を図ることができる組立て帽子の提供を目的とする。【解決手段】組立て帽子１０における巻付けシート２０の巻付け帯２１を着用者Ａの頭部Ａａに巻き付ける際、巻付け帯２１の巻き付け長さをサイズ調節部５０Ａにより可変調節して巻き付ける。巻付け帯２１の巻付け時において、巻付け帯２１を着用者Ａの頭部Ａａに対応して湾曲させるとともに、挟み込みシート４０における表示シート４１又は頭覆いシート４２の一端を巻付けシート２０の挟み込み部２０１に挟み込み固定する。なお、頭覆いシート４２の他端はサイズ調節部５０Ａの輪ゴム２２に巻き付け固定する。【選択図】図１
2015052187.tif 000002
【特許請求の範囲】
【請求項１】
着用者の頭部に巻き付けられる巻付け帯、該巻付け帯における一方の長辺側縁部に連設した庇部を有する巻付けシートと、該巻付け帯の巻き付け長さを着用者の頭囲サイズに合わせて可変調節するサイズ調節手段と、を備えた組立て帽子であって、
前記巻付け帯と前記庇部との連設部分に、前記庇部と対応する幅に形成した挟み込みシートの端部が厚み方向に挟持される挟み込み部を設け、
前記挟み込み部を、
前記巻付け帯における前記庇部を連設した表面側中央部に形成した後側挟み部と、前記庇部における前記後側挟み部に対して押し付けられる基端部分に形成した前側挟み部とで構成し、
前記挟み込み部における前記庇部と対応する前記巻付け帯の長辺側縁部に、該長辺側縁部分に沿って谷折り可能な略直線状の折り曲げ罫線を付設し、
前記挟み込み部における前記庇部の基端部分に、前記折り曲げ罫線の両端部で交わる山折り可能な略円弧状の折り曲げ罫線を付設した
組立て帽子。
【請求項２】
前記挟み込みシートを、
所望する表示内容が施される表示部を備えた表示シートで構成し、
前記表示シートの一端側に、前記挟み込み部に対して挟み込みが許容される挿入部を備え、
該表示シートの他端側に、前記挿入部と反対の方向に向けて突出する形状に形成した突出部を備えた
請求項１に記載の組立て帽子。
【請求項３】
前記挟み込みシートを、
前記着用者の頭部を覆う大きさに形成した頭覆いシートで構成し、
前記頭覆いシートの一端側に、前記挟み込み部に対して挟み込みが許容される挿入部を備え、
前記頭覆いシートの他端側に、該巻付け帯の巻き付け長さを調節する前記サイズ調節手段に対して巻き付けられる巻付け部を備えた
請求項１又は２に記載の組立て帽子。
【請求項４】
前記挟み込みシートの前記挟み込み部に挟み込まれる端部、及び前記挟み込みシートの端部が挟み込まれる前記挟み込み部とのうち少なくとも一方に、該挟み込みシートの端部を前記挟み込み部に対して挟み込まれた状態に固定するシート固定手段を備えた
請求項１乃至３のいずれか一つに記載の組立て帽子。
【請求項５】
前記挟み込み部の中央部に、
前記巻付けシートの厚み方向に貫通する開口部を設けた
請求項１乃至４のいずれか一つに記載の組立て帽子。
【請求項６】
前記巻付け帯における前記着用者の頭部に巻き付けられる裏面と反対の表面に、該表面に沿って前記着用者の頭囲サイズを表示する目盛りを付設した
請求項１乃至５のいずれか一つに記載の組立て帽子。
【発明の詳細な説明】
【技術分野】
【０００１】
この発明は、例えば、広告媒体、商品の販売、応援、景品、イベント等の用途に用いられる組立て帽子に関する。
【背景技術】
【０００２】
上述の組立て帽子としては、例えば、展開形状に切り抜いてなる１枚のシートを折り曲げて帽子形態に組み立てる折り重ね用紙製帽子が提案されている（特許文献１参照）。  
特許文献１の折り重ね用紙製帽子は、該帽子を展開形状に切り抜いてなる１枚のシートを折り曲げて、庇部を有する帽子形態に組み立てるものであるが、帽子は、着用者の頭部に巻き付けられる巻付け帯と、該着用者の頭部を覆う頭覆い部とを一体に形成しているので、ある程度の剛性を必要とする庇部に対応して、帽子全体の肉厚を厚くする必要がある。
【０００３】
このため、展開形状のシートを折り曲げて帽子形態に組み立てた際、帽子全体の重量が重く、長時間着用すると肩凝りの原因となる。  
また、帽子のデザインや該帽子に印刷された表示内容を変更する場合、その変更に応じて帽子を製造する必要があるため、帽子の種類が多くなるだけでなく、製造コストが高くなり、納期が遅くなるという問題がある。
【先行技術文献】
【特許文献】
【０００４】
【特許文献１】登録実用新案第３００１３６０号
【発明の概要】
【発明が解決しようとする課題】
【０００５】
この発明は、帽子形態の変更が容易に行えるとともに、軽量化、及び製造コストの低減を図ることができる組立て帽子を提供することを目的とする。
【課題を解決するための手段】
【０００６】
この発明は、着用者の頭部に巻き付けられる巻付け帯、該巻付け帯における一方の長辺側縁部に連設した庇部を有する巻付けシートと、該巻付け帯の巻き付け長さを着用者の頭囲サイズに合わせて可変調節するサイズ調節手段と、を備えた組立て帽子であって、前記巻付け帯と前記庇部との連設部分に、前記庇部と対応する幅に形成した挟み込みシートの端部が厚み方向に挟持される挟み込み部を設け、前記挟み込み部を、前記巻付け帯における前記庇部を連設した表面側中央部に形成した後側挟み部と、前記庇部における前記後側挟み部に対して押し付けられる基端部分に形成した前側挟み部とで構成し、前記挟み込み部における前記庇部と対応する前記巻付け帯の長辺側縁部に、該長辺側縁部分に沿って谷折り可能な略直線状の折り曲げ罫線を付設し、前記挟み込み部における前記庇部の基端部分に、前記折り曲げ罫線の両端部で交わる山折り可能な略円弧状の折り曲げ罫線を付設した組立て帽子であることを特徴とする。
【０００７】
ここで、上記サイズ調節手段は、例えば、巻付けシートの両端部に掛け渡された伸縮性を有する輪ゴム、あるいは、互いに係止される係止孔と係止片、あるいは、互いに係止される上向き切欠き部と下向き切欠き部、あるいは、ループを有する雌側テープと、フックを有する雄側テープとからなる面ファスナー等で構成することができる。
【０００８】
この発明によれば、帽子形態の変更が容易に行えるとともに、軽量化、及び製造コストの低減を図ることができる。  
詳述すると、本実施形態の組立て帽子を組み立てる際、巻付けシートの巻付け帯を、着用者の頭部に対して巻き付けが許容される状態に湾曲させて、庇部を前方から見て略弧状となるように変形する。巻付け帯の湾曲により、庇部の基端部側を巻付け帯に対して押し付けられる方向に引き寄せ、該庇部側の前側挟み部を巻付け帯側の後側挟み部に押し付ける。
【０００９】
これにより、挟み込みシートの端部を挟み込むための挟み込み部を構成することができる。その際、挟み込みシートの端部を、巻付けシートにおける挟み込み部の前側挟み部と後側挟み部との間に挟み込んで厚み方向に挟持することにより、組立て帽子の組立てが完了する。
【００１０】
着用時において、サイズ調節手段により巻付け帯の巻き付け長さを着用者の頭囲サイズに合わせて可変調節した後、巻付けシートの巻付け帯を着用者の頭部に巻き付けることにより、挟み込みシートが取り付けられた組立て帽子を着用することができる。
【００１１】
挟み込みシートの端部は、巻付けシートにおける挟み込み部の前側挟み部と後側挟み部とで厚み方向に挟持するとともに、該前側挟み部と後側挟み部とで湾曲した状態に挟持するので、組立て帽子を着用した頭部を傾けるか、揺らす等しても、挟み込み部による挟み込みシートの挟持が解除されにくく、挟み込みシートを挟持した状態に保つことができる。  
この結果、挟み込みシートの端部が巻付けシートの挟み込み部から抜け落ちることを積極的に防止できる。
【００１２】
しかも、組立て帽子を構成する巻付けシートは、庇部を有するため、ある程度の剛性を持った肉厚が必要であるが、挟み込みシートは巻付けシートに比べてそれほど剛性を必要としないため、肉厚を薄くすることができる。巻付けシートと異なる材質にて製造することにより、軽量化、コスト低減が図れる。
【００１３】
つまり、組立て帽子は、巻付けシートと挟み込みシートとを個々に形成することができるので、例えば、巻付け帯と頭覆い部とを一体に形成した１枚のシートを折り曲げて帽子形態に組み立てるよりも、肉厚の薄い挟み込みシートを巻付けシートの挟み込み部に挟み込んで組み立てることにより、帽子全体の重量が軽く、軽量化が図れる。
【００１４】
さらに、組立て帽子を、例えば、広告媒体として使用する場合、帽子のデザイン、あるいは、帽子に印刷された表示内容を一部変更する際にも、その変更に応じて、巻付けシート及び挟み込みシートのいずれか一方を製造するだけで済むため、納期を大幅に短縮することができるうえ、組立て帽子を安価に製造することができるので、製造コストの低減を図ることができる。
【００１５】
組立て帽子の具体的な使用例として、例えば、野球やサッカー等の試合に参加する複数の学校が応援用のグッズとして採用する場合、応援の状況に応じて、挟み込みシート（例えば、表示シートや頭覆いシート）を別の挟み込みシートに取り替え、巻付けシートは共通して使用することができる。
【００１６】
例えば、巻付けシートを規格品として予め大量に製造しておき、応援メッセージが印刷された単一種あるいは複数種の挟み込みシートを必要な枚数だけ製造することにより、巻付けシートと挟み込みシートとをセットで製造する必要がなく、安価に製造することができるとともに、製造コストの低減、及び納期の短縮を図ることができる。
【００１７】
また、巻付けシートにおける庇部の前方に突出する幅と、左右方向に延びる長さは、着用者の頭部サイズに応じてある程度自由に変更することができる。例えば、庇部を、透光性を有するシートにて構成する場合、ブルーやブラウン等の所望する色合いに着色したシートを用いることより、日除け効果と透視効果とを相乗して得ることができる。
【００１８】
この発明の態様として、前記挟み込みシートを、所望する表示内容が施される表示部を備えた表示シートで構成し、前記表示シートの一端側に、前記挟み込み部に対して挟み込みが許容される挿入部を備え、該表示シートの他端側に、前記挿入部と反対の方向に向けて突出する形状に形成した突出部を備えて構成することができる。
【００１９】
この発明によれば、表示シートの表示部に施された表示内容に対する注目度を高めて、よりアピールすることができる。  
詳述すると、表示シートの挿入部を、巻付けシートの挟み込み部に挟み込む際、所望の表示内容が施された表示部を、組立て帽子の庇部と対応する方向に向けて挟み込む。具体的には、着用者における頭部の正面側と対応する向きに取り付ける。
【００２０】
これにより、組立て帽子を、巻付けシートの庇部が着用者における頭部の正面側と対応する向きとなるように着用すれば、着用者の頭部を所望する方向に向けると、表示シートの表示部も同一方向を向くため、表示シートの表示部に施された表示内容に人の視線を誘導することができる。
【００２１】
この結果、例えば、広告媒体、商品の販売、景品、イベント等の用途や目的に応じて、表示シートを取り替えるだけで、表示部に施された表示内容を自由に変更することができる。  
また、巻付けシートは規格品として多く生産し、表示シートは販売先別に要望に応じた形状に製造でき、ロット単位での対応が可能となるため、生産納期も短納化が図れる。さらに、表示シートの肉厚を薄くできる利点を有し、表示シートの裏側には市販の筆記具にて個性的な表示内容を施すことができる。
【００２２】
また、この発明の態様として、前記挟み込みシートを、前記着用者の頭部を覆う大きさに形成した頭覆いシートで構成し、前記頭覆いシートの一端側に、前記挟み込み部に対して挟み込みが許容される挿入部を備え、前記頭覆いシートの他端側に、該巻付け帯の巻き付け長さを調節する前記サイズ調節手段に対して巻き付けられる巻付け部を備えて構成することができる。
【００２３】
この発明によれば、組立て帽子の着用時において、頭覆いシートにより着用者の頭部を覆うことができる。  
詳述すると、頭覆いシートを、巻付けシートの巻付け帯に取り付ける際、頭覆いシートの一端側挿入部を、巻付けシートの挟み込み部に対して挟み込み、該頭覆いシートの他端側巻付け部を、巻付け帯の巻き付け長さを調節するサイズ調節手段に対して巻き付ける。
【００２４】
これにより、組立て帽子を着用すれば、頭覆いシートにより着用者の頭部を覆うことができる。例えば、晴天時や夏季において、着用者の頭部を直射日光から保護することができ、熱中症を予防するのに有効である。
【００２５】
しかも、頭覆いシートも、上述の表示シートと同様に肉厚を薄くするか、巻付けシートと異なる材質にて製造することにより、軽量化、コスト低減が図れる。  
なお、頭覆いシートの巻付け部は、巻付け帯に対して直接巻き付けることもできる。また、頭覆いシートと上述の表示シートとを併用することもできる。
【００２６】
また、この発明の態様として、前記挟み込みシートの前記挟み込み部に挟み込まれる端部、及び前記挟み込みシートの端部が挟み込まれる前記挟み込み部とのうち少なくとも一方に、該挟み込みシートの端部を前記挟み込み部に対して挟み込まれた状態に固定するシート固定手段を備えることができる。
【００２７】
ここで、上記シート固定手段は、例えば、互いに係止される係止片とスリット、あるいは、両面粘着テープ等で構成することができる。  
この発明によれば、挟み込みシートが巻付けシートの挟み込み部から抜け落ちることをより確実に防止できる。
【００２８】
詳述すると、挟み込みシートの端部を巻付けシートの挟み込み部に挟み込むとともに、挟み込みシートの端部及び挟み込み部のうち少なくとも一方に設けたシート固定手段により挟み込まれた状態に固定する。  
これにより、挟み込みシートの端部を、巻付け帯の挟み込み部に対してより強固に固定することができるうえ、該挟み込みシートが挟み込み部から抜け落ちることをより確実に防止できる。
【００２９】
また、この発明の態様として、前記挟み込み部の中央部に、前記巻付けシートの厚み方向に貫通する開口部を設けることができる。  
この発明によれば、爽快な着用感が得られるだけでなく、長時間の着用が可能である。
【００３０】
詳述すると、例えば、一般的な組立て帽子は、巻付け帯を着用者の頭部や顔部（特に額部）に密着した状態に巻き付けられるので、不快な締め付け感を着用者に与えることになる。また、晴天時や暑い気候の際、巻付け帯が巻き付けられた額部分に汗をかきやすく、不快な着用感を着用者に与えることになる。
【００３１】
これに対して、本実施形態の組立て帽子は、巻付けシートにおける挟み込み部の中央部に、巻付けシートの厚み方向に貫通する開口部を設けているので、組立て帽子を着用した際、着用者の頭部や顔部（特に額部）に押し当てられる挟み込み部の押し当て面積が、開口部と対応する面積分だけ小さくなる。
【００３２】
これにより、着用者に与える締め付け力が弱くなり、着用者が受ける締め付け感を軽減することができる。さらに、挟み込み部の開口部を介して、通気や換気が効率よく行われるため、額部分に汗をかきにくく、爽快な着用感が得られるため、長時間の着用が可能である。
【００３３】
また、この発明の態様として、前記巻付け帯における前記着用者の頭部に巻き付けられる裏面と反対の表面に、該表面に沿って前記着用者の頭囲サイズを表示する目盛りを付設することができる。  
この発明によれば、巻付けシートの巻き付け長さを、着用者の頭囲サイズに合わせてより正確に可変調節することができる。
【００３４】
詳述すると、巻付けシートの巻付け帯を着用者の頭部に巻き付けた状態、あるいは、巻き付ける前の状態において、該巻付け帯の巻き付け長さを着用者の頭囲サイズに合わせて可変調節しなくても、巻付け帯に付設した目盛りを目安にして巻き付け長さを調節すれば、巻付けシートの巻き付け長さを、着用者の頭囲サイズに合わせてより正確に可変調節することができる。  
この結果、組立て帽子の巻付けシートを、着用者の頭囲サイズに合わせてよりぴったり合った状態に巻き付けることができる。
【００３５】
上述の各シートは、例えば、無機鉱物粉末を５０重量％以上含有するシート（ストーンペーパー）、あるいは、ポリプロピレン（ＰＰ）やポリエチレンテレフタレート（ＰＥＴ）、生分解性プラスチック（ＰＬＡ）、合成紙等の単体又は複合したプラスチックシート、あるいは、上述の無機鉱物粉末含有シートやプラスチックシート、フィルム、厚紙、合成紙等を複合したシートで構成することができる。また、シートの肉厚は、例えば、０．１５ｍｍ〜０．５ｍｍの範囲に含まれる肉厚に設定することができる。
【００３６】
折り曲げ罫線は、例えば、シートの厚み方向から見て縄文形状、段付き形状（例えば、２段等の複数段）の形状、あるいは、深い部分と浅い部分とが折り曲げ罫線の底部に沿って長手方向に多数配置された溝形状等にて構成することができる。
【００３７】
具体的には、例えば、特開２００３−２６６５３２号公報、特開２００３−２９２０２３号公報、特開２００４−１８５８号公報、特開２００４−８３１２９号公報、特開平２００４−３１５０７３等に開示された既に提案済みの折り曲げ罫線にて構成することができる。
【００３８】
表示シートに施される表示内容は、例えば、応援や宣伝に関連するメッセージ、所望のキャラクタや文字、図形、記号、絵、ロゴ、風景、植物、動物等で構成することができる。
【発明の効果】
【００３９】
この発明によれば、帽子形態の変更が容易に行えるとともに、軽量化、及び製造コストの低減を図ることができる組立て帽子を提供することができる。
【図面の簡単な説明】
【００４０】
【図１】本実施形態の組立て帽子に表示シートを取り付けた状態の斜視図。
【図２】組立て帽子に表示シートを取り付けた状態の平面図。
【図３】巻付けシートの展開状態を示す平面図。
【図４】巻付けシートのサイズ調節手段を示す拡大図。
【図５】表示シートの外観形状を示す平面図。
【図６】組立て帽子に頭覆いシートを取り付けた状態の斜視図。
【図７】組立て帽子に頭覆いシートを取り付けた状態の平面図。
【図８】頭覆いシートの展開状態を示す平面図。
【図９】シート固定部を示す拡大図。
【図１０】他の例のシート固定部を示す拡大図。
【図１１】他の例のサイズ調節手段を示す拡大図。
【図１２】その他の例のサイズ調節手段を示す拡大図。
【図１３】その他の例のサイズ調節手段を示す拡大図。
【図１４】その他の例の巻付けシートの展開状態を示す平面図。
【図１５】その他の例のシート固定部を示す拡大図。
【発明を実施するための形態】
【００４１】
この発明の一実施形態を以下図面に基づいて詳述する。  
図１は本実施形態の組立て帽子１０に表示シート４１を取り付けた状態の斜視図、図２は組立て帽子１０に表示シート４１を取り付けた状態の平面図、図３は巻付けシート２０の展開状態を示す平面図、図４は巻付けシート２０の巻き付け長さを可変調節するサイズ調節部５０Ａを示す拡大図、図５は表示シート４１の外観形状を示す平面図である。
【００４２】
本実施形態の組立て帽子１０は、０．４ｍｍの肉厚に形成した無機鉱物粉末含有シート（ストーンペーパー）を、図示しないトムソン型の型抜き機にて展開形状に切り抜いたシートで構成している。  
該組立て帽子１０は、着用者Ａの頭部Ａａに巻き付けられる帯状の巻付けシート２０と、巻付けシート２０における巻付け帯２１の一方の長辺側縁部に連設した略半円状（又は略弧状）の庇部３０と、巻付け帯２１と庇部３０との連設部分に形成した挟み込み部２０１に対して挟み込まれる挟み込みシート４０と、で構成している。
【００４３】
巻付け帯２１の長手方向Ｘに延出した両端部２０ａには、巻付け帯２１の巻き付け長さを着用者Ａの頭囲サイズに合わせて可変調節するためのサイズ調節部５０Ａを備えている。  
庇部３０は、巻付け帯２１における一方の長辺側縁部の長手方向Ｘ中央部に対して折り曲げ可能に連設している（図３参照）。
【００４４】
巻付け帯２１と庇部３０との連設部分には、庇部３０と対応する幅に形成した挟み込みシート４０の端部が厚み方向に挟持される挟み込み部２０１を設けている。  
挟み込み部２０１は、巻付け帯２１における長手方向Ｘの表面側中央部に形成した図３中の２点鎖線で囲む略弧状を有する後側挟み部２１１と、庇部３０の基端部分に形成した略弧状を有する前側挟み部３１１とで構成している。
【００４５】
挟み込み部２０１における庇部３０を連設した巻付け帯２１の長辺側縁部には、該長辺側縁部に沿って谷折り可能な略直線状の折り曲げ罫線Ｋ１を付設している。  
挟み込み部２０１における庇部３０の基端部分には、上述の折り曲げ罫線Ｋ１の両端部で交わるとともに、該庇部３０の先端部側に向けて突出する山折り可能な略弧状の折り曲げ罫線Ｋ２を付設している。
【００４６】
巻付け帯２１を裏面側が内側となる状態（弧状）に湾曲するか、該巻付け帯２１を着用者Ａの頭部Ａａに巻き付ける際、巻付け帯２１の湾曲により、略直線状の折り曲げ罫線Ｋ１が谷折り状態に折り曲げられ、略弧状の折り曲げ罫線Ｋ２が山折り状態に折り曲げられる。
【００４７】
これにより、庇部３０が、前方から見て略弧状となるように変形されるとともに、該庇部３０の基端部側が、巻付け帯２１における長手方向Ｘの表面側中央部に形成した後側挟み部２１１に対して押し付けられる方向に引き寄せられる。
【００４８】
庇部３０の前側挟み部３１１が、巻付け帯２１の後側挟み部２１１に対して押し付けられので、挟み込みシート４０の端部を挟み込むための挟み込み部２０１を構成する（図１、図２参照）。  
この結果、庇部３０における基端部側の剛性が高くなり、庇部３０が下方に傾くことを防止できるとともに、前方に向けて突出した状態を維持するのに充分な剛性が得られる。
【００４９】
また、巻付けシート２０の巻付け帯２１には、該巻付け帯２１における着用者Ａの頭部Ａａに巻き付けられる裏面と反対の表面に、該表面に沿って着用者Ａの頭囲サイズを表示する目盛り２１ｃを付設している（図４参照）。
【００５０】
巻付けシート２０を着用者Ａの頭部Ａａに巻き付ける際、巻付け帯２１に付設した目盛り２１ｃを目安にして拡縮調節すれば、巻付けシート２０を必要以上に拡張することなく、着用者Ａの頭部Ａａに対して巻き付けが容易になされる巻き付け長さに調節することができる。
【００５１】
挟み込みシート４０は、庇部３０と対応する幅に形成され、所望する表示内容が印刷される表示部４１３を備えた表示シート４１と、着用者Ａの頭部Ａａを覆う大きさ及び形状に形成した頭覆いシート４２とで構成している（図５、図８参照）。  
なお、挟み込みシート４０を構成する表示シート４１、及び頭覆いシート４２のうち、少なくとも頭覆いシート４２を無機鉱物粉末含有シートで構成してもよい。
【００５２】
図５は表示シート４１の外観形状を示す平面図であり、詳しくは、図５（ａ）は凹凸形状を有する巻付け帯２１の平面図、図５（ｂ）は他の外観形状を有する巻付け帯２１の平面図である。
【００５３】
表示シート４１は、図５（ａ）に示すように、一端側に形成した幅広形状を有する挿入部４１１と、他端側に形成した挿入部４１１と反対の方向（上方）に向けて突出する凹凸形状を有する突出部４１２と、挿入部４１１と突出部４１２との間に形成した表示部４１３と、を一体に備えている。
【００５４】
一端側の挿入部４１１は、上述の挟み込み部２０１に対して挟み込みが許容される幅、厚みに形成している。他端側の突出部４１２は、挿入部４１１と同一の幅及び厚みに形成するとともに、所望する外観形状に形成している。具体的には、滑らかな凹凸形状に形成している。
【００５５】
表示シート４１の全体は、巻付けシート２０を着用者Ａの頭部Ａａに巻き付けた状態において、着用者Ａにおける頭部Ａａの前部側を覆う大きさ及び形状に形成している。
【００５６】
表示部４１３は、表示シート４１における挿入部４１１と凹凸部４１２との間の表面側（又は裏面側）に形成している。該表示部４１３には、所望する表示内容を印刷している。具体的には、応援や宣伝等に関連する表示内容を印刷している。  
上述の表示シート４１の外観形状は、図５（ａ）に示す例に限らず、図５（ｂ）に示すように、正面から見て人物や動物などのキャラクタを模した外観形状に形成してもよい。
【００５７】
また、表示部４１３の表示内容は、例えば、所望のキャラクタや文字、図形、記号、絵、ロゴ、風景、植物、動物等で構成してもよい。表示シート４１の表裏両面に異なる表示内容を予め印刷しておけば、状況に応じて、１枚の表示シート４１をリバーシブルで使用することができる。表示シート４１の裏面側に、市販の筆記具を用いて個性的な表示内容を施しておくことができる。
【００５８】
続いて、頭覆いシート４２の構成について説明する。  
図６は組立て帽子１０に頭覆いシート４２を取り付けた状態の斜視図、図７は組立て帽子１０に頭覆いシート４２を取り付けた状態の平面図、図８は頭覆いシート４２の展開状態を示す平面図であり、詳しくは、図８（ａ）は他端側に巻付け部４２２を有する頭覆いシート４２の平面図、図８（ｂ）は他の外観形状を有する頭覆いシート４２の平面図である。
【００５９】
頭覆いシート４２は、図６、図７、図８（ａ）に示すように、一端側に形成した幅広形状を有する挿入部４２１と、他端側に形成した横向きＴ字状を有する巻付け部４２２と、挿入部４２１と巻付け部４２２とを連設する頭覆い部４２３と、を一体に備え、頭覆い部４２３を介して、一端側の挿入部４２１から他端側の巻付け部４２２に向けて徐々に幅狭となる形状に形成している。
【００６０】
一端側の挿入部４２１は、上述の挟み込み部２０１に対して挟み込みが許容される幅に形成している。他端側の巻付け部４２２は、巻付け帯２１を着用者Ａの頭部Ａａに巻き付けた状態において、巻付け帯２１の両端部２１ａ間に掛け渡した輪ゴム２２に対して巻き付けが許容される長さ及び形状に形成している。  
頭覆い部４２３は、組立て帽子１０を着用者Ａの頭部Ａａに着用した状態において、着用者Ａの頭部Ａａ（具体的には、前頭部、頭頂部、後頭部）を覆う大きさ及び幅に形成している。
【００６１】
巻付け部４２２は、巻付け帯２１の両端部２１ａ間に掛け渡した輪ゴム２２に対して該輪ゴム２２を挟み込むように巻き付けられる巻付け片４２４と、巻付け片４２４の遊端側両側部に形成した一対の挿入片４２５と、を一体に備えている。
【００６２】
巻付け片４２４の基端側は、折り曲げ罫線Ｋ３を介して、頭覆い部４２３の幅狭部分に対して折り返し可能に連設している。巻付け片４２４の遊端側両側部には、巻付け片４２４に直交して挿入片４２５をそれぞれ形成している。
【００６３】
頭覆い部４２３の巻付け片４２４が重ね合わされる重ね合わせ部分には、巻付け片４２４に形成した一対の挿入片４２５と対応して、該挿入片４２５の差し込みが許容されるスリット２４６を形成している。
【００６４】
なお、頭覆いシート４２における挿入部４２１側の表面には、上述の表示シート４１と同様に表示部４１３を形成しているが、頭覆いシート４２の裏面又は表裏両面に形成してもよい。また、表示シート４１、及び頭覆いシート４２の表面全体に形成してもよい。
【００６５】
上述の頭覆いシート４２の外観形状は、図８（ａ）に示す例に限らず、図８（ｂ）に示すように、頭覆い部４２３における幅狭側端部と、該頭覆い部４２３における幅方向の両側端部とに、舌状の嵌合部４２７を折り曲げ可能に連設した形状に形成してもよい。
【００６６】
図示の嵌合部４２７は、着用者Ａの頭部Ａａに巻き付けられる巻付け帯２１に対して嵌合可能な形状を有しており、折り曲げ罫線Ｋ３を介して、頭覆い部４２３における幅狭側端部、及び両側端部に対して折り曲げ可能に連設している。
【００６７】
頭覆い部４２３における両側端部よりも中央部寄りに付設した２本の弧状を有する折り曲げ罫線Ｋ４は、頭覆い部４２３の両側端部を、着用者Ａの頭部Ａａ（具体的には側頭部）を覆う方向に向けて折り曲げを許容する。  
なお、嵌合部４２７に限らず、上述の巻付け部４２２のような図示しない巻付け辺部を連設してもよい。
【００６８】
前記サイズ調節部５０Ａは、図２、図３、図４に示すように、巻付けシート２０における巻付け帯２１の両端部２１ａに形成したスリット状の切り込み部２１ｂと、両端部２１ａ間に掛け渡した輪ゴム２２とで構成している。
【００６９】
図４は巻付け帯２１の巻き付け長さを調節するサイズ調節部５０Ａの拡大図であり、詳しくは、図４（ａ）は巻付け帯２１の巻き付け長さを可変調節する前の状態を示す拡大図、図４（ｂ）は巻付け帯２１の巻き付け長さを可変調節した状態を示す拡大図である。
【００７０】
切り込み部２１ｂは、巻付け帯２１における両端部２１ａの上下縁部に該巻付け帯２１の長手方向Ｘと直交して形成している。巻付け帯２１における両端部２１ａの切り込み部２１ｂには、輪ゴム２２の両端をそれぞれ引っ掛けている。
【００７１】
巻付けシート２０を着用者Ａの頭部Ａａに巻き付ける際、巻付けシート２０における巻付け帯２１の両端部２１ａを両手で把持した後、両端部２１ａを、輪ゴム２２の復元力に抗して離間する方向へ引っ張ることにより、その引っ張り具合に応じて輪ゴム２２が伸縮する。  
これにより、巻付けシート２０における巻付け帯２１の巻き付け長さを、着用者Ａの頭囲サイズに合わせて無段階に可変調節することができる。
【００７２】
上述の巻付けシート２０を着用者Ａの頭部Ａａに巻き付ける際、挟み込みシート４０における表示シート４１の挿入部４１１を、巻付けシート２０の挟み込み部２０１に挟み込む。  
すなわち、巻付け帯２１の後側挟み部２１１と庇部３０の前側挟み部３１１との間に挟み込むことにより、表示シート４１の挿入部４１１が後側挟み部２１１と前側挟み部３１１とで厚み方向に挟持される。
【００７３】
これにより、表示シート４１が後側挟み部２１１と前側挟み部３１１との間から抜け落ちることを積極的に防止できる。  
しかも、組立て帽子１０を着用した頭部Ａａを傾けるか、揺らす等しても、挟み込み部２０１による表示シート４１の挟持が解除されにくく、表示シート４１を挟持した状態に保つことができる。
【００７４】
所望の表示内容が印刷された表示シート４１を挟み込んだ場合、表示シート４１の表示内容が印刷された表示部４１３を、着用者Ａにおける頭部Ａａの前部側と対応して正面側に向けた状態に保つことができる。また、頭覆いシート４２を挟み込んだ場合、着用者Ａにおける頭部Ａａの前頭部、頭頂部、後頭部を覆う状態を保つことができる。
【００７５】
上述の組立て帽子１０を、着用者Ａの頭部Ａａに着用する際の手順について説明する。  
先ず、巻付けシート２０における巻付け帯２１の両端側を両手で把持した後、輪ゴム２２の復元力に抗して、巻付け帯２１の両端側を離間する方向へ引っ張り、巻付け帯２１の全体を、着用者Ａの頭部Ａａに対して巻き付けが許容される大きさに拡張する（図４（ｂ）参照）。
【００７６】
巻付け帯２１を拡張したまま着用者Ａの頭部Ａａに装着し、巻付け帯２１の両端から手を離せば、輪ゴム２２に蓄積された復元力によって、巻付け帯２１の両端が近接する方向へ引き寄せられるので、巻付け帯２１を、着用者Ａの頭部Ａａに対してぴったり合った状態に巻き付けることができる。
【００７７】
巻付け帯２１は、輪ゴム２２に蓄積された復元力によって、着用者Ａの頭部Ａａに対して巻き付けられる方向に常時付勢されているため、組立て帽子１０を、着用者Ａの頭部Ａａに着用した状態に保つことができる（図４（ａ）参照）。  
これにより、組立て帽子１０の着用時において、組立て帽子１０の位置や向きが変位することを防止でき、所望する着用状態を保つことができる。
【００７８】
しかも、巻付け帯２１を、輪ゴム２２に蓄積された復元力によって、着用者Ａの頭部Ａａに対してぴったり合った状態に巻き付けることにより、巻付けシート２０の挟み込み部２０１が、着用者Ａの頭部Ａａに沿って湾曲した状態に保たれる。
【００７９】
巻付け帯２１を湾曲する際、表示シート４１の挿入部４１１を、巻付けシート２０の挟み込み部２０１に挟み込めば、該表示シート４１の挿入部４１１が、巻付け帯２１の後側挟み部２１１と庇部３０の前側挟み部３１１とで厚み方向に挟持される。  
これにより、組立て帽子１０の着用中において、表示シート４１が、巻付けシート２０の挟み込み部２０１から抜け落ちることを防止できる。
【００８０】
さらに、表示シート４１を巻付けシート２０の挟み込み部２０１に挟み込む際、表示部４１３を、組立て帽子１０の庇部３０と対応する方向に向けて挟み込んでおき、組立て帽子１０を、庇部３０が着用者Ａにおける頭部Ａａの正面側と対応する向きとなるように着用する。
【００８１】
この場合、着用者Ａの頭部Ａａを所望する方向に向けると、表示シート４１の表示部４１３も同一方向を向くため、表示シート４１の表示部４１３に印刷された表示内容に人の視線を誘導することができ、表示シート４１の表示部４１３に施された表示内容に対する注目度を高めて、よりアピールすることができる。
【００８２】
上述の表示シート４１に代えて、図８（ａ）に示す頭覆いシート４２を、巻付けシート２０に対して取り付ける際の手順について説明する（図６参照）。  
先ず、頭覆いシート４２の巻付け部４２２を、巻付けシート２０における巻付け帯２１の両端部２１ａ間に掛け渡した輪ゴム２２よりも内側に上方から挿入し、巻付け部４２２を輪ゴム２２よりも下方に突出した後、巻付け部４２２の巻付け片４２４を、折り曲げ罫線Ｋ３に沿って、頭覆い部４２３の幅狭部分に対して重ね合わされる方向へ折り返す。
【００８３】
折り返し途中の巻付け片４２４を、頭覆い部４２３の幅狭部分に対して重ね合わせる際、巻付け片４２４における一対の挿入片４２５を、頭覆い部４２３の幅狭部分に形成したスリット４２６に対してそれぞれ差し込む。
【００８４】
これにより、巻付け部４２２を、巻付け帯２１の両端部２１ａ間に掛け渡した輪ゴム２２を挟み込むようにして該輪ゴム２２に対して巻き付けることができる。  
この結果、頭覆いシート４２の巻付け部４２２を、巻付け帯２１の両端部２１ａ間に掛け渡した輪ゴム２２に対して巻き付けた状態に固定することができる。  
なお、巻付け部４２２は、巻付け帯２１の両端部２１ａ間に掛け渡した輪ゴム２２に対して外側から巻き付けてもよい。
【００８５】
一方、頭覆しシート４２の挿入部４２１は、上述の巻付け部４２２を巻き付けた状態、あるいは、巻き付ける前の状態において、上述の表示シート４１と同様にして、巻付けシート２０の挟み込み部２０１に対して挟み込んで固定する。
【００８６】
上述の頭覆しシート４２が取り付けられた組立て帽子１０を着用すれば、頭覆いシート４２により着用者Ａの頭部Ａａを覆うことができる。例えば、晴天時や夏季において、着用者Ａの頭部Ａａを直射日光から保護することができ、熱中症を予防するのに有効である。  
しかも、頭覆いシート４２も、上述の表示シート４１と同様に肉厚を薄くするか、巻付けシート２０と異なる材質にて製造することにより、軽量化、コスト低減が図れる。
【００８７】
本実施形態の組立て帽子１０を、例えば、広告媒体、商品の販売、景品、イベント等に用いる場合、その用途や目的に応じて、挟み込みシート４０における表示シート４１や頭覆いシート４２を取り替えるだけで済むため、巻付けシート２０は共通して使用することができる。
【００８８】
例えば、巻付けシート２０を規格品として予め大量に製造しておき、応援メッセージが印刷された単一種あるいは複数種の挟み込みシート４０を必要な枚数だけ製造することにより、巻付けシート２０と挟み込みシート４０とをセットで製造する必要がなく、安価に製造することができるとともに、製造コストの低減、及び納期の短縮を図ることができる。
【００８９】
しかも、表示シート４１の挿入部４１１、頭覆いシート４２の挿入部４２１は、巻付けシート２０の挟み込み部２０１に挟み込むだけの簡単な組み立て構造であるため、例えば、差込み片をスリットに差し込むか、一対の留め具等を用いて組み立てるような手間、及び作業が省け、老人や子供でも簡単に組み立てることができる。
【００９０】
さらに、本実施形態の組立て帽子１０は、防水性、撥水性を有する無機鉱物粉末含有シート（ストーンペーパー）で構成しているため、着用時において、着用者Ａの頭部Ａａから発汗される汗が付着するか、雨天に濡れる等しても問題なく使用することができる。
【００９１】
また、無機鉱物が５０重量％以上含まれるストーンペーパーは、燃焼時の燃焼カロリーが紙の約半分程度であり、有毒ガスを発生せず、自然環境に及ぼす影響が少ない。さらに、プラスチックシートに比較して燃焼時のＣＯ２排出量を約６０％〜約７０％削減することができるので、古くなったストーンペーパー製の組立て帽子１０を、一般ゴミとして廃棄処理することができる。
【００９２】
以下、上述の組立て帽子１０における構成の他の例について説明する。この説明において、前記構成と同一または同等の部位については同一の符号を記してその詳しい説明を省略する。
【００９３】
先ず、上述の巻付けシート２０の挟み込み構造は、図１〜図３に示す例に限らず、下記のシート固定部４００にて固定する他の例について説明する。  
図９はシート固定部４００を示す拡大図であり、詳しくは、表示シート４１を巻付けシート２０の挟み込み部２０１に固定する部分の拡大図である。  
図９に示すシート固定部４００は、巻付け帯２１の後側挟み部２１１に形成したスリット２１４と、表示シート４１の挿入部４１１に形成したＴ字状を有する係止片４１４とで構成している。
【００９４】
詳述すると、表示シート４１の挿入部４１１を、巻付けシート２０の挟み込み部２０１に挟み込む際、表示シート４１の挿入部４１１に形成した係止片４１４を、巻付け帯２１の後側挟み部２１１に形成したスリット２１４にそれぞれ差し込むとともに、表示シート４１の挿入部４１１を、巻付け帯２１の後側挟み部２１１と庇部３０の前側挟み部３１１とで挟持する。
【００９５】
これにより、表示シート４１を、巻付けシート２０の挟み込み部２０１に対してより強固に固定することができるうえ、該表示シート４１が後側挟み部２１１と前側挟み部３１１との間から抜け落ちることをより確実に防止できる。
【００９６】
図１０は他の例のシート固定部４００を示す拡大図であり、詳しくは、表示シート４１を巻付けシート２０の挟み込み部２０１に固定する部分の拡大図である。  
図１０に示すシート固定部４００は、表示シート４１の挿入部４１１に貼着した一対の両面粘着テープ４１５で構成している。
【００９７】
詳述すると、表示シート４１の挿入部４１１を、巻付けシート２０の挟み込み部２０１に挟み込む際、表示シート４１の挿入部４１１に貼着した両面粘着テープ４１５を、巻付け帯２１の後側挟み部２１１に対してその粘着力を利用して貼着するとともに、表示シート４１の挿入部４１１を、巻付け帯２１の後側挟み部２１１と庇部３０の前側挟み部３１１とで挟持する。
【００９８】
これにより、表示シート４１を、巻付けシート２０の挟み込み部２０１に対してより強固に固定することができるうえ、該表示シート４１が後側挟み部２１１と前側挟み部３１１との間から抜け落ちることをより確実に防止できる。  
なお、両面粘着テープ４１５は、巻付け帯２１の後側挟み部２１１に予め貼着しておいてもよい。
【００９９】
上記サイズ調節部５０Ａは、図４に示す例のみに限定されるものではなく、巻付け帯２１の巻き付け長さを可変調節することが可能であれば、上記構成以外の調節手段を用いてもよい。
【０１００】
図１１は他の例のサイズ調節部５０Ｂを示す拡大図であり、詳しくは、図１１（ａ）は巻付け帯２１の巻き付け長さを可変調節する前の状態を示す拡大図、図１１（ｂ）は巻付け帯２１の巻き付け長さを可変調節した状態を示す拡大図である。
【０１０１】
図１１に示すサイズ調節部５０Ｂは、巻付けシート２０における巻付け帯２１の一端側端部２１ａに形成した三角形状を有する複数の係止孔２３と、他端側端部２１ａに形成した横向きＴ字状を有する係止片２４とで構成している。係止孔２３は、巻付け帯２１の長手方向Ｘに対して所定間隔を隔てて配置している。
【０１０２】
上述の組立て帽子１０を着用する際、巻付けシート２０を、着用者Ａの頭部Ａａに巻き付けた状態、あるいは、巻き付ける前の状態において、巻付け帯２１の一端側端部２１ａに形成した複数のうち一つの係止孔２３に、他端側端部２１ａに形成した係止片２４を係止するとともに、巻付け帯２１の一端側端部２１ａと他端側端部２１ａとを互いに重ね合わせる（図１１（ａ）（ｂ）参照）。  
これにより、組立て帽子１０の巻付けシート２０を、着用者Ａの頭囲サイズに合わせてぴったり合った状態に巻き付けることができる。
【０１０３】
組立て帽子１０の着用時において、組立て帽子１０の位置や向きが変位することを防止でき、所望する着用状態を保つことができるため、前記実施形態と略同等の作用、及び効果を奏することができる。
【０１０４】
さらに、巻付け帯２１の一端側端部２１ａに形成した複数の係止孔２３から選択した一つの係止孔２３に、他端側端部２１ａに形成した係止片２４を係止するので、巻付け帯２１の巻き付け長さを、着用者Ａの頭囲サイズに合わせて段階的に可変調節することができる。
【０１０５】
図１２はその他の例のサイズ調節部５０Ｃを示す拡大図であり、詳しくは、図１２（ａ）は巻付け帯２１の巻き付け長さを可変調節する前の状態を示す拡大図、図１２（ｂ）は巻付け帯２１の巻き付け長さを可変調節した状態を示す拡大図である。
【０１０６】
図１２に示すサイズ調節部５０Ｃは、巻付けシート２０における巻付け帯２１の一端側端部２１ａ表面に装着したループを有する雌側テープ２５と、他端側端部２１ａ裏面に装着したフックを有する雄側テープ２６とからなる面ファスナー２７で構成している。
【０１０７】
上述の組立て帽子１０を着用する際、巻付けシート２０を、着用者Ａの頭部Ａａに巻き付けた状態、あるいは、巻き付ける前の状態において、巻付け帯２１の一端側端部２１ａに装着した雌側テープ２５と、他端側端部２１ａに装着した雄側テープ２６とを互いに貼り合わせる（図１２（ａ）（ｂ）参照）。  
これにより、組立て帽子１０の巻付けシート２０を、着用者Ａの頭囲サイズに合わせてぴったり合った状態に巻き付けることができる。
【０１０８】
組立て帽子１０の着用時において、組立て帽子１０の位置や向きが変位することを防止でき、所望する着用状態を保つことができるため、前記実施形態と略同等の作用、及び効果を奏することができる。
【０１０９】
さらに、雌側テープ２５と雄側テープ２６との貼着が許容される範囲であれば、その範囲と対応する長さだけ、雌側テープ２５と雄側テープ２６とを長手方向Ｘに変位させて互いに貼り合わせることができるので、巻付け帯２１の巻き付け長さを、着用者Ａの頭囲サイズに合わせて無段階に可変調節することができる。
【０１１０】
図１３はその他の例のサイズ調節部５０Ｄを示す拡大図であり、詳しくは、図１３（ａ）は巻付け帯２１の巻き付け長さを可変調節する前の状態を示す拡大図、図１３（ｂ）は巻付け帯２１の巻き付け長さを可変調節した状態を示す拡大図である。
【０１１１】
図１３に示すサイズ調節部５０Ｄは、巻付けシート２０における巻付け帯２１の一端側端部２１ａ上縁部に形成した複数の上向き切欠き部２８と、他端側端部２１ａ下縁部に形成した複数の下向き切欠き部２９とで構成している。
【０１１２】
上向き切欠き部２８は、巻付け帯２１における一端側端部２１ａの上縁部を長手方向Ｘと直交して上向きに切り欠いて形成している。下向き切欠き部２９は、巻付け帯２１における他端側端部２１ａの下縁部を長手方向Ｘと直交して下向きに切り欠いて形成している。上向き切欠き部２８、及び下向き切欠き部２９は、互いに係止が許容される形状に形成され、巻付け帯２１の長手方向Ｘに対して所定間隔を隔てて配置している（図１３（ａ）参照）。
【０１１３】
上述の組立て帽子１０を着用する際、巻付けシート２０を、着用者Ａの頭部Ａａに巻き付けた状態、あるいは、巻き付ける前の状態において、巻付け帯２１の一端側端部２１ａに形成した一つの上向き切欠き部２８を、他端側端部２１ａに形成した一つの下向き切欠き部２９に係止するとともに、巻付け帯２１の一端側端部２１ａと他端側端部２１ａとを互いに重ね合わせる（図１３（ｂ）参照）。  
これにより、組立て帽子１０の巻付けシート２０を、着用者Ａの頭囲サイズに合わせてぴったり合った状態に巻き付けることができる。
【０１１４】
組立て帽子１０の着用時において、組立て帽子１０の位置や向きが変位することを防止でき、所望する着用状態を保つことができるため、前記実施形態と略同等の作用、及び効果を奏することができる。
【０１１５】
さらに、巻付け帯２１の一端側端部２１ａに形成した複数の上向き切欠き部２８から選択した一つの上向き切欠き部２８と、他端側端部２１ａに形成した複数の下向き切欠き部２９から選択した一つの下向き切欠き部２９とを互いに係止するので、巻付け帯２１の巻き付け長さを、着用者Ａの頭囲サイズに合わせて段階的に可変調節することができる。
【０１１６】
上述の他の例におけるサイズ調節部５０Ｂ，５０Ｃ，５０Ｄを採用した際、巻付け帯２１に付設した目盛り２１ｃを目安にして巻き付け長さを調節すれば、巻付け帯２１を巻き付けた状態だけでなく、巻き付ける前の状態においても、巻付け帯２１の巻き付け長さを、着用者Ａの頭囲サイズに合わせてより正確に可変調節することができる。
【０１１７】
続いて、上述の組立て帽子１０における巻付けシート２０の挟み込み部２０１に開口部６０を設けた例について説明する。  
図１４はその他の例の巻付けシート２０の展開状態を示す平面図である。
【０１１８】
図１４に示す巻付けシート２０は、挟み込み部２０１の中央部に、該巻付けシート２０の厚み方向に貫通する開口部６０を設けている。  
開口部６０は、挟み込み部２０１に付設した折り曲げ罫線Ｋ１を基準線として、後側挟み部２１１と前側挟み部３１１とに跨って線対称に形成するとともに、所定幅の挟み込み面が周囲に残るように、挟み込み部２０１の周縁部よりも内側に形成している。
【０１１９】
具体的には、開口部６０を、折り曲げ罫線Ｋ１，Ｋ２よりも１０ｍｍ〜３０ｍｍ程度内側に形成して、巻付けシート２０の端部を挟持するのに必要な挟み込み面が後側挟み部２１１、及び前側挟み部３１１に残るようにしている。
【０１２０】
つまり、後側挟み部２１１、及び前側挟み部３１１の残り部分が１０ｍｍより少なくなると、該挟み部２１１、及び３１１の挟み込み面積が小さくなり、挟み込み部２０１の挟み込み力が低下することになる。  
例えば、強風時において、挟み込みシート４０（表示シート４１又は頭覆いシート４２）の端部が挟み込み部２０１から引き抜かれるだけでなく、シート自体が風で吹き飛ばされるおそれがある。
【０１２１】
したがって、後側挟み部２１１、及び前側挟み部３１１の挟み込み面の残り幅は、１０ｍｍ〜３０ｍｍ程度の範囲に含まれる幅に設定するのがよく、挟み込みシート４０の端部を挟持するのに必要な挟持力が得られる。
【０１２２】
上述の巻付けシート２０における挟み込み部２０１に開口部６０が設けられた組立て帽子１０を着用した際、着用者Ａの頭部Ａａや顔部（特に額部）に押し当てられる挟み込み部２０１の押し当て面積が、開口部６０と対応する面積分だけ小さくなる。
【０１２３】
これにより、着用者Ａに与える締め付け力が弱くなり、着用者Ａが受ける締め付け感を軽減することができる。さらに、挟み込み部２０１の開口部６０を介して、通気や換気が効率よく行われるため、額部分に汗をかきにくく、爽快な着用感が得られるため、長時間の着用が可能である。  
なお、上述の開口部６０を設ける箇所は、図１４に示す例に限らず、挟み込み部２０１における後側挟み部２１１、及び前側挟み部３１１のいずれか一方のみに設けてもよい。
【０１２４】
次に、上述の巻付けシート２０に形成した開口部６０を利用して、表示シート４１を固定するシート固定部４００の他の例について説明する。図１５はその他の例のシート固定部４００を示す拡大図である。  
図１５に示すシート固定部４００は、巻付けシート２０の挟み込み部２０１に形成した開口部６０と、表示シート４１の挿入部４１１に形成した折り曲げ部６１とで構成している。  
詳述すると、表示シート４１の挿入部４１１を、巻付けシート２０の挟み込み部２０１に挟み込む際、表示シート４１の挿入部４１１に形成した折り曲げ部６１を挟み込み部２０１の開口部６０よりも下方へ突出した後、該折り曲げ部６１を庇部３０側へ折り曲げて、開口部６０における庇部３０側の縁部に係止するとともに、表示シート４１の挿入部４１１を、巻付け帯２１の後側挟み部２１１と庇部３０の前側挟み部３１１とで挟持する。
【０１２５】
これにより、表示シート４１を、巻付けシート２０の挟み込み部２０１に対してより強固に固定することができるうえ、該表示シート４１が後側挟み部２１１と前側挟み部３１１との間から抜け落ちることをより確実に防止できる。
【０１２６】
また、表示シート４１の挿入部４１１は、挟み込み部２０１の開口部６０と対応して滑らかな曲面形状（アール形状）に形成しているので、挿入部４１１が開口部６０よりも下方へ必要以上に突出することを防止でき、折り曲げ部６１の開口部６０に対する係止が許容される深さに挟み込むことができる。  
なお、上述のシート固定部４００は、頭覆いシート４２の挿入部４２１を、巻付けシート２０の挟み込み部２０１に固定する手段としても用いることができる。
【０１２７】
この発明の構成と、前記実施形態との対応において、  
この発明のサイズ調節手段は、実施形態のサイズ調節部５０Ａ，５０Ｂ，５０Ｃ，５０Ｄに対応し、  
以下同様に、  
シート固定手段は、シート固定部４００に対応するも、  
この発明は、上述の実施形態の構成のみに限定されるものではなく、請求項に示される技術思想に基づいて応用することができ、多くの実施の形態を得ることができる。
【０１２８】
本実施形態における頭覆いシート４２の巻付け部４２２は、図１１、図１２、図１３に示す巻付け帯２１の一端側端部２１ａと他端側端部２１ａとの重ね合わせ部分に直接巻き付けて固定することもできる。
【０１２９】
また、巻付けシート２０の幅は、シートを構成する材質の物性、厚さ、強度、庇の大きさ、デザイン、帽子の大きさ等々に応じて変更することができる。また、巻付けシート２０は長尺であるため、保管や包装に問題が生じる場合、長手方向Ｘにおける適当な位置に折り曲げ罫線を付設して、短尺サイズに折り曲げ可能に構成してもよい。  
また、表示シート４１及び頭覆いシート４２を併用して、巻付けシート２０に取り付けてもよい。
【符号の説明】
【０１３０】
Ａ…着用者
Ａａ…頭部
Ｘ…長手方向
Ｋ１，Ｋ２…折り曲げ罫線
１０…組立て帽子
２０…巻付けシート
２０１…挟み込み部
２１…巻付け帯
２１ｃ…目盛り
２１１…後側挟み部
２１４…スリット
２２…輪ゴム
２３…係止孔
２４…係止片
２７…面ファスナー
２８…上向き切欠き部
２９…下向き切欠き部
３０…庇部
３１１…前側挟み部
４０…挟み込みシート
４００…シート固定部
４１…表示シート
４１１…挿入部
４１２…突出部
４１３…表示部
４１４…係止片
４１５…両面粘着テープ
４２…頭覆いシート
４２１…挿入部
４２２…巻付け部
４２３…頭覆い部
４２４…巻付け片
４２７…嵌合部
５０Ａ，５０Ｂ，５０Ｃ，５０Ｄ…サイズ調節部
６０…開口部
６１…折り曲げ部
【図１】
2015052187.tif 000003
【図２】
2015052187.tif 000004
【図３】
2015052187.tif 000005
【図４】
2015052187.tif 000006
【図５】
2015052187.tif 000007
【図６】
2015052187.tif 000008
【図７】
2015052187.tif 000009
【図８】
2015052187.tif 000010
【図９】
2015052187.tif 000011
【図１０】
2015052187.tif 000012
【図１１】
2015052187.tif 000013
【図１２】
2015052187.tif 000014
【図１３】
2015052187.tif 000015
【図１４】
2015052187.tif 000016
【図１５】
2015052187.tif 000017